(57)【要約】【課題】自動車用内燃機関の電源回路のアースを機関本体に設定するにおいて、事故等があってもアース機能を維持できると共に、アース線の接続作業を容易化する。【解決手段】シリンダヘッド２の一端部に固定されてインタークーラを支持するフロントブラケット３９の起立板４２に、アース線５９が端子板６０を介して接続されるアース線固定部４２ａを設けている。起立板４２のうちアース線固定部４２ａよりも上の部位に、横幅が狭まった弱化ライン４２ｃを形成している。事故等によってフロントブラケット３９の上端に過大な外力が作用した場合、フロントブラケット３９は弱化ライン４２ｃの箇所で破断するため、アース機能は維持される。【選択図】図２
2020105972.tif 000002
【特許請求の範囲】
【請求項１】
シリンダヘッドの上方に配置されたインタークーラその他の吸気系部材を支持する金属板製のブラケットであって、
前記シリンダヘッドへの固定部から上向きに延びる起立板の上端に、前記吸気系部材を支持する支持板を設けている構成において、
前記起立板の中途高さ部位に、内燃機関用電源回路のアース線が接続されるアース線固定部を設けており、前記アース線固定部よりも上の部位のうち少なくとも一部の強度が、前記アース線固定部及びその下方の部位の強度よりも低くなっている、
自動車用内燃機関のブラケット。
【請求項２】
前記起立板の長手両側縁のうち一方の側縁をく字形の夾角を成すように形成することにより、前記起立板を、前記く字の頂点よりも下方の部位を上窄まりの形態と成して、前記く字の頂点を前記アース線固定部よりも高い部位に位置させている一方、
前記起立板の他側縁のうち前記く字の頂点よりも上の部位に側板を曲げ形成しており、前記側板の下端と前記く字の頂点とを結ぶラインを、強度が最も低い弱化部と成している、
請求項１に記載した自動車用内燃機関のブラケット。
【発明の詳細な説明】
【技術分野】
【０００１】
本願発明は、自動車用内燃機関で使用するブラケットに関するものである。
【背景技術】
【０００２】
自動車にはバッテリーが搭載されており、エンジンの各種制御機器や車体装備品としてのライト等の各種の電気・電子機器は、バッテリーから供給される電気によって作動している。そして、バッテリーの電源は直流であるため、電流を流すためにはマイナス極の導体になるアース部が必要である。
【０００３】
そして、一般には、車体フレームをアース部として利用しており、電源回路に設けたアース線を車体フレームに接続しているが、車体フレームが必ずしも良好な導体でない場合も有り、エンジンの制御機器の電源回路で車体フレームにアースすると、所望の電位差を安定して得難いおそれがある。
【０００４】
そこで、特許文献１には、エンジンがシリンダブロックやシリンダヘッドのような金属製部材を主要部材として構成されていることに着目し、エンジン用電源回路のアースとしてエンジンを利用することにより、所望の電位差を確保して電気・電子機器を正確に作動させることが開示されている。
【先行技術文献】
【特許文献】
【０００５】
【特許文献１】特開２００４−１２２８７１号公報
【発明の概要】
【発明が解決しようとする課題】
【０００６】
さて、特許文献１では、エンジン用電源回路のアース線を、エンジン自体と変速機とに接続することが開示されており、エンジンに接続する場合は、シリンダブロックやシリンダヘッドへの接続を想定していると解される。
【０００７】
シリンダブロックもシリンダヘッドも一般にアルミの鋳造品であって電気の良好な導体であるためアース機能の面において問題はないが、シリンダブロックやシリンダヘッドにアース線を接続するためには、端子をビスで固定するためのタップ穴を空けなければならないため、加工に手間がかかるという問題がある。
【０００８】
また、タップ穴を加工すると、応力が集中しないように強度計算せねばならないため、設計の手間も増大する。また、シリンダブロックにしてもシリンダヘッドにしても高温になるため熱への対策も必要である。更に、アース線の接続工程は、エンジンの組み立ての最終段階や、自動車の組み立て時に行うことになるが、シリンダブロックやシリンダヘッドの周りには多くの部材が配置されているため、アース線の接続作業は相当に面倒になることも有り得る。
【０００９】
本願発明は、エンジンをアース部として使用することは特許文献１と軌を一にしつつ、より改善された構造を提供しようとするものである。
【課題を解決するための手段】
【００１０】
本願発明は、シリンダヘッドの上方に配置されたインタークーラその他の吸気系部材を支持する金属板製のブラケットに係るものであり、このブラケットは、
「前記シリンダヘッドへの固定部から上向きに延びる起立板の上端に、前記吸気系部材を支持する支持板を設けている」
という基本構成において、請求項１では、
「前記起立板の中途高さ部位に、内燃機関用電源回路のアース線が接続されるアース線固定部を設けており、前記アース線固定部よりも上の部位のうち少なくとも一部の強度が、前記アース線固定部及びその下方の部位の強度よりも低くなっている」
という構成が付加されている。
【００１１】
本願発明は、請求項２の構成も含んでいる。この請求項２の発明は、請求項１において、
「前記起立板の長手両側縁のうち一方の側縁をく字形の夾角を成すように形成することにより、前記起立板を、前記く字の頂点よりも下方の部位を上窄まりの形態と成して、前記く字の頂点を前記アース線固定部よりも高い部位に位置させている一方、
前記起立板の他側縁のうち前記く字の頂点よりも上の部位に側板を曲げ形成しており、前記側板の下端と前記く字の頂点とを結ぶラインを、強度が最も低い弱化部と成している」
という構成になっている。
【００１２】
請求項２は、起立板のうちアース線固定部の上方に１つの弱化部を形成しているが、請求項１では、アース線固定部よりも上の部位の全体が、アース線固定部以下の部位よりも強度が低くなっている場合も含んでいる。すなわち、請求項１では、破断場所は一定していなくてもよいのであり、アース線固定部よりも上の部位がどこかで破断したらよい。
【発明の効果】
【００１３】
本願発明では、アース線はブラケットを介してシリンダヘッドに接続されるため、シリンダヘッドやシリンダブロックにタップ穴を加工することは不要であり、それだけ加工の手間を軽減できると共に、シリンダヘッドの再設計の手間も生じない。なお、本願発明では、ブラケットにアース線固定部を設ける加工は必要であるが、シリンダヘッドやシリンダブロックにタップ穴を加工することに比べると、手間は遥かに少ない。
【００１４】
また、ブラケットはシリンダヘッドに固定されているため、熱の影響も回避できる。更に、ブラケットはシリンダヘッドの上方に立ち上がっているため、アース線をビスで固定する作業は広い空間で容易に行える。従って、エンジンを車体に搭載してからアース線を接続することにも簡単に対応可能であり、これにより、アース線は、損傷を防止しつつしっかりと接続できる。
【００１５】
さて、自動車が衝突事故を起こした場合や振動を繰り返し受けた場合、ブラケットが何らかの影響を受けることがあるが、仮に、事故に際してアース線固定部が離脱すると、電源機能が消失するため、エンジンの機能は残っていても運転が不能になって、回避行動もとれなくなる。さりとて、複数のブラケットにアース線を接続しておくことは、コストや接続作業の点から現実的ではない。
【００１６】
この点、本願発明では、ブラケットに許容限度以上の過大な負荷が掛かったり、大きな振動が繰り返し作用してブラケットに過大な負荷が掛かったりした場合でも、アース線固定部よりも上の部位が破断するため、アース線が１本だけであっても、事故によって電源がアース機能を失うことはない。従って、エンジンの機能を失っていない限り、自力走行による退避行動などをとることができる。従って、自動車を事故後等の対応性に優れたものとすることができる。
【００１７】
起立板の強度を低下させる手段としては、スリットや穴を空けて弱化部を形成することも可能であるが、この場合は、加工の手間が増えたり、強度が低下し過ぎたりするおそれがある。
【００１８】
これに対して請求項２の発明を採用すると、穴空けのような工程は不要であるため、加工の手間を抑制することができ、また、強度が低下し過ぎることも防止できる。むしろ、側板を設けることによって支持板の支持強度を向上できる利点もある。
【００１９】
更に、請求項２では起立板の破断位置を一定化できるため、思わぬ部位が破断して吸気系部材が思わぬ方向に離反して他の部材を損傷させるといったことはなくて、ブラケットが破損した後の対応性を向上できる。
【図面の簡単な説明】
【００２０】
【図１】内燃機関を車体の前方から見た正面図である。
【図２】要部を前下方から見た斜視図である。
【図３】（Ａ）は要部を前上方から見た斜視図、（Ｂ）はインタークーラの取付け板を示す図、（Ｃ）は（Ａ）のＣ−Ｃ視断面図、（Ｄ）はボルト挿通穴の切り開き部の作用を示す図である。
【図４】図１の部分的な IV-IV視図である。
【図５】（Ａ）（Ｂ）ともブラケットの斜視図である。
【図６】（Ａ）はフロントブラケットの側面図、（Ｂ）は（Ａ）のＢ−Ｂ視断面図、（Ｃ）はフロントブラケットの破断状態を示す図である。
【発明を実施するための形態】
【００２１】
次に、本願発明の実施形態を図面に基づいて説明する。以下では、方向を特定するため前後・左右の文言を使用するが、この方向は車体の向きを基準にしている。左右方向は車幅方向である。正面図は、車体の前面と相対向する方向から見た図である。
【００２２】
内燃機関では、クランク軸線の方向を前後方向と呼ぶことが一般化しているが、本実施形態の内燃機関は、クランク軸を車幅方向に長い姿勢と成した横置き姿勢でエンジンルームに配置されているため、以下で使用する方向は一般的に使用されている方向とは相違している（一般的な用語とは、前後左右が逆になっている。）。
【００２３】
(1).基本構造
まず、内燃機関の基本構造を、主として図１に基づいて説明する。内燃機関の基本構造は従来と同様であり、図１に示すように、シリンダボアが形成されたシリンダブロック１と、その上面に固定されたシリンダヘッド２と、その上面に固定されたヘッドカバー３と、シリンダブロック１の下面に固定されたオイルパン４とを備えており、シリンダブロック１及びオイルパン４の一端面１ａ，４ａに変速機５が固定されている。
【００２４】
シリンダブロック１及びシリンダヘッド２の他端面１ｂ，２ｂには、タイミングチェーンを覆うフロントカバー６が固定されており、シリンダブロック１とシリンダヘッド２とヘッドカバー３とオイルパン４とフロントカバー６とによって機関本体が構成されている。なお、ヘッドカバー３の他端部には、キャップ７で塞がれる注油口８を設けている。
【００２５】
本実施形態の内燃機関は、排気側面を前向きにして配置されている。従って、シリンダヘッド２の排気出口には前向きに開口した排気出口（図示せず）が形成されているが、本実施形態では排気出口は１つのみ形成しており、この排気出口に、排気ターボ過給機９のタービンハウジング１０が接続されている。
【００２６】
排気ターボ過給機９におけるタービンハウジング１０の排出口には、触媒を内蔵した触媒ケース１１がエルボ管を介して接続されており、触媒ケース１１の下端に排気管１２が接続されている。触媒ケース１１は、インシュレータ１３によって手前側から覆われている。
【００２７】
排気ターボ過給機９は、更に、コンプレッサハウジング１４と軸受ハウジング１５とを有しており、コンプレッサハウジング１４には、タービンハウジング１０に設けたウエストゲートバルブ（図示せず）を制御するアクチュエータ１６を設けている。また、コンプレッサハウジング１４の吸気入口とエアクリーナ１７の出口とが、吸気第１ダクト１８によって接続されている。エアクリーナ１７は、ヘッドカバー３の上方部でかつ機関本体の他端に寄った部位に配置されており、そのダストサイド室に、吸気取り入れダクト１９が接続されている。
【００２８】
排気ターボ過給機９におけるコンプレッサハウジング１４の出口には、吸気第２ダクト２０の上流端が接続されており、吸気第２ダクト２０の下流端は、インタークーラ２１を構成する熱交換ユニット２２の上流側タンク２３に接続されている（図４も参照）。
【００２９】
排気ターボ過給機９のコンプレッサハウジング１４はシリンダヘッド２の他端面２ｂに寄った部位に配置されている一方、インタークーラ２１は、ヘッドカバー３よりも高い部位に位置すると共に、ヘッドカバー３の一端の外側にはみ出た状態に配置されている。従って、インタークーラ２１は、変速機５の基部の上方に配置されている。
【００３０】
このように、排気ターボ過給機９のコンプレッサハウジング１４とインタークーラ２１とが、高さが相違しつつ左右方向に大きく離れているため、吸気第２ダクト２０は、排気ターボ過給機９のコンプレッサハウジング１４から立ち上がったのち水平状の姿勢になってインタークーラ２１に向かっている。そこで、吸気第２ダクト２０の中途部が、ヘッドカバー３に固定した中間ブラケット２４で支持されている。
【００３１】
シリンダヘッド２の一端面２ａに、複数の継手ポート２５を設けた冷却水分配部２６が配置されており、各継手ポート２５に接続したホース（図示せず）により、ラジエータ２７等への冷却水の送り戻しが行われている。具体的には、ラジエータ２７への送水・戻しの他に、室内暖房用ヒータコアへの送水と戻し、ＣＶＴウォーマへの送水と戻し、ＥＧＲクーラへの送水と戻し、排気ターボ過給機９の冷却水ジャケットへの送水と戻しなどが行われる。
【００３２】
また、冷却水分配部２６には、ラジエータ２７への送水を制御するサーモ弁が内蔵されている。本実施形態では、冷却水分配部２６はシリンダヘッド２の一端面２ａに後付けしているが、シリンダヘッド２に一体に形成される場合もある。
【００３３】
図１のとおり、ラジエータ２７は、概ね変速機５の手前に配置されている。従って、平面視で見ると、ラジエータ２７はインタークーラ２１及び冷却水分配部２６の手前に配置されている。また、高さの関係では、インタークーラ２１はラジエータ２７の上端よりも高い位置にあり、冷却水分配部２６は、ラジエータ２７の上部と重なる高さに位置している。
【００３４】
ラジエータ２７の後ろにはファンシュラウド２８が配置されており、ファンシュラウド２８に電動式のラジエータファン（図示せず）が取付けられている。図４に示すように、ラジエータ２７はアッパタンク２７ａを備えており、アッパタンク２７ａは、車体の前部に設けたラジエータサポート（フロントフレーム）２９に固定されている。なお、図４に示すように、本実施形態の内燃機関は、気筒軸心Ｏ１を鉛直線Ｏ２に対して少し前傾させたスラント型になっている。
【００３５】
(2).インタークーラとその支持構造
図２や図４から容易に理解できるように、インタークーラ２１は、前方と後ろ下方とに開口した通風ケーシング３１と、通風ケーシング３１の出口部に配置した熱交換ユニット２２とで構成されている。熱交換ユニット２２は、プレート式等の熱交換エレメントを多数設けたコア部３２と、コア部３２の上流側端部に接続した既述の上流側タンク２３と、コア部３２の下流側端部に接続した下流側タンク３３とで構成されている。
【００３６】
上流側タンク２３の入口は横向きに開口しており、これに吸気第２ダクト２０が接続されている。他方、下流側タンク３３の出口は下向きに開口しており、この下向き開口した出口に、吸気第３ダクト３４の上端が接続されている。熱交換ユニット２２は、後ろに向けて高くなるように傾斜しており、水平に対する傾斜角度は約３０°になっている。
【００３７】
吸気第３ダクト３４の下端はスロットルボデー３５に接続されており、図４に簡単に示すように、スロットルボデー３５は、吸気マニホールド３６のサージタンク３７に取付けられている。図２〜４に示すように、通風ケーシング３１の前部には、上流側タンク２３を上から覆う庇部３８を設けている。
【００３８】
インタークーラ２１の取付け手段として、例えば図４に示すように、上流側タンク２３がフロントブラケット３９を介してシリンダヘッド２の一端部に連結されていると共に、図３に示すように、コア部３２の他側部がリアブラケット４０を介してシリンダヘッド２の一端部に連結されている。本実施形態では、フロントブラケット３９が請求項に記載したブラケットに該当している。
【００３９】
フロントブラケット３９はステンレス板等の金属板製であり、例えば図３（Ａ）から容易に理解できるように（図４も参照）、シリンダヘッド２における一端部の上面に重なった下固定板４１と、下固定板４１から上向きに立ち上がった起立板４２と、起立板４２から横向きに延びる支持板４３とを有しており、下固定板４１は前後２本のボルト４１ａでシリンダヘッド２の上面に固定されている一方、支持板４３に、フロントブラケット３９から前向きに突設したフロント取付け板４４がボルト４５で連結されている。支持板４３の下面には、ボルト４５がねじ込まれるナット４６を固定している。
【００４０】
フロント取付け板４４は上流側タンク２３に一体に形成されており、左右の上向きリブ４４ａを設けて強度を確保している。また、フロント取付け板４４には、その上下に重なる弾性リング４７が装着されている。従って、フロント取付け板４４の取付け構造は、一種のグロメット構造になっている。弾性リング４７をフロントブラケット３９の支持板４３に装着して、フロント取付け板４４に設けた下向きピンを弾性リング４７に挿入することも可能である。
【００４１】
フロント取付け板４４にはボルト４５を挿通するボルト挿通穴４８が空いているが、図３（Ｂ）（Ｄ）に明示するように、ボルト挿通穴４８を、前向きに開口した切り開き部４８ａを有する形態に形成している。切り開き部４８ａは、手前に向けて幅が広がるテーパ状になっており、かつ、最も幅が狭い箇所の幅はボルト４５の外径よりも小さい寸法になっている。従って、ボルト挿通穴４８は、ボルト４５の外径よりも小さい寸法のくびれ部を有して前向きに切り開かれている。
【００４２】
図３（Ａ）のとおり、リアブラケット４０に対するコア部３２の取付け構造は、フロントブラケット３９に対する上流側タンク２３の取付け構造と同様であり、コア部３２の他側面にリア取付け板５１をろう付け等で固定して、このリア取付け板５１を、ボルト５２及び弾性リング４７を介してリアブラケット４０の上片４０ａに連結している。リア取付け板５１にも、フロント取付け板４４と同様に、ボルト挿通穴の切り開き部５１ａが形成されている。
【００４３】
さて、自動車が人と衝突した場合、図４に模式的に示すフードＦが人の身体で押されて凹み変形し、フードＦによってインタークーラ２１が後ろ下方に押されることがある。この場合、インタークーラ２１がフロントブラケット３９に強固に固定されていると、フードＦの変形量が小さくなるため、人の身体に対するダメージが大きくなる。
【００４４】
他方、本実施形態のように、フロント取付け板４４のボルト挿通穴４８が前向きに切り開かれていると、ある程度の外力によってフロント取付け板４４がボルト４５から外れるため、フードＦに押されてインタークーラ２１が後退する。従って、フードＦの変形量を大きくして、人に対するダメージを低減できる。
【００４５】
リア取付け板５１も同様であり、ボルト挿通穴に切り開き部５１ａが形成されていることにより、ある程度以上の外力が作用すると、リア取付け板５１がボルト５２から離脱するため、フードＦの変形量を大きくして身体に対するダメージを抑制できる。従って、実施形態のように、フロント取付け板４４とリア取付け板５１との両方に切り開き部４８ａ，５１ａを形成すると、事故時のインタークーラ２１の離脱を容易化して、人の身体に対するダメージ低減に大きく貢献できる。切り開き部は、少なくともフロント取付け板４４に形成してもよいといえる。
【００４６】
(3).導風板
インタークーラ２１はシリンダヘッド２の一端面２ａの外側にはみ出ているため、フロントブラケット３９は、下固定板４１の一端部から起立板４２が立ち上がって、支持板４３は下固定板４１と反対方向に延びている。従って、フロントブラケット３９は、正面視でクランク状に曲がっている。
【００４７】
フロントブラケット３９がクランク状に曲がっていることにより、支持板４３はシリンダヘッド２の一端面の外側にはみ出ているが、例えば図２から容易に理解できるように、支持板４３に、後ろ向きに延びる規制部５０ａを有する導風板５０が溶接等で固定されている。
【００４８】
導風板５０は、フロントブラケット３９の支持板４３から下向きに延びる側板５５に溶接で固定されている上向き片５０ｂと、上向き片５０ｂの下端に設けて後ろ向きに延びる規制部５０ａとを有しており、側面視で略Ｌ形の形態を成している。そして、規制部５０ａは熱交換ユニット２２の前部下方に位置している。
【００４９】
フロントブラケット３９の形態は、図５で明瞭に表示している。この図５に示すように、起立板４２と支持板４３とには、補強のため、一体に連続したリブ溝（或いはリブ突起）５３が形成されている。支持板４３の上端部に、ボルト挿通穴５４が空いている。導風板５０の上向き片５０ｂと規制部５０ａも、強度アップや熱変形吸収のために凹凸状に曲げ形成されている。図５（Ｂ）に示すように、支持板４３と側板５５との連接部には逃がし穴５５ａを空けている。下固定板４１には、前後２つのボルト挿通穴４１ｂが空いている。
【００５０】
さて、自動車が走行している状態では、図４に実線の矢印５６で示すように、走行風が通風ケーシング３１を介して熱交換ユニット２２のコア部３２を通過することにより、熱交換が成されて吸気が冷却される。
【００５１】
他方、ラジエータファンが駆動されている状態では、図４に点線矢印で示すように、ラジエータ２７を通過した熱風が後ろ向きに流れていく。この場合、自動車の走行中においては、ラジエータ２７を通過した熱風は走行風によって後ろに押されるため、熱風がインタークーラ２１のコア部３２に入り込むことはない。
【００５２】
しかし、渋滞中のように自動車が停止している状態でラジエータファンが回転していると、ラジエータ２７の後ろに変速機５が配置されていることなどが影響して、図４に点線矢印５７で示すように、ラジエータ２７を通過した熱風の一部が上向きに流れてインタークーラ２１のコア部３２に向かうことがある。そして、熱風がコア部３２に入り込むと、既述のとおり、吸気が加温されて充填効率が低下してしまうことになり、インタークーラ２１の意味が無くなってしまう。
【００５３】
これに対して本実施形態では、熱交換ユニット２２の前部に導風板５０を配置したことにより、コア部３２に向かう熱風は矢印５８のように下向きに方向変換する。従って、熱風がコア部３２に流入することを防止して、充填効率の悪化を防止できる。
【００５４】
導風板５０はコア部３２の前部下方にしか配置していないが、コア部３２は後ろに向けて高くなるように傾斜しているため、その前部において熱風の流入を阻止できたら、熱風が入り込むことはない。従って、導風板５０をコア部３２の前部の下方のみに配置しただけであっても、目的は達成できる。
【００５５】
他方、既述のとおり、衝突事故において、インタークーラ２１がフロントブラケット３９から後ろに外れて下方に落ち込むことが有り得るが、仮に、インタークーラ２１が大きく落ち込むと、冷却水分配部２６に接続されているホース類がインタークーラ２１によって損傷するおそれがある。すると、機関本体は運転可能な状態であっても、冷却水の漏洩によってすぐに運転が停止してしまい、退避行動もとれなくなるおそれがある。
【００５６】
これに対して本実施形態では、導風板５０の規制部５０ａが後ろ向きに延びているため、インタークーラ２１の落ち込みが規制部５０ａで阻止される。従って、インタークーラ２１が大きく落ち込むことを防止して、冷却水分配部２６に接続されているホース類の損傷を回避できる。これにより、自力での退避走行も可能になる。
【００５７】
(4).アースとその関連構造
本実施形態の内燃機関は、スロットルバルブ直下の吸気圧と機関回転数から吸入空気量を算定してスロットルバルブの開度と燃料噴射量とを制御するＥＦＩエンジンであり、電気回路は、機関本体にアースすることによって通電させている。
【００５８】
そして、本実施形態では、図５（Ａ）及び図６に示すように、フロントブラケット３９における起立板４２の下寄り部位をアース線固定部４２ａと成して、このアース線固定部４２ａに、アース線５９が端子板６０を介して接続されている。端子板６０は細長い形態を成しており、タッピンねじ等のビス６１が貫通する取付け穴６２を挟んで一方の側に、アース線５９を接続する圧着部６３を設けて、取付け穴６２を挟んで他方の側に回り止めの爪６４を設けている。
【００５９】
フロントブラケット３９の起立板４２には、ビス６１がねじ込まれる取付け穴６５と、その下方に位置した位置決め穴６６とが空いており、端子板６０の爪６４を位置決め穴６６に係合させた状態で、ビス６１で固定している。なお、ビス６１をナットにねじ込むことも可能である。
【００６０】
さて、上記のとおり、制御回路はフロントブラケット３９を介して機関本体にアースすることで電流の流れを確保しているが、衝突事故などでアース機能がなくなると、回路に電流が流れずに制御が不可能になってしまい、機関の運転機能が保持されていても走行不能になって、退避行動も採れなくなってしまう。従って、事故や激しい振動があってフロントブラケット３９が破損しても、アース状態を保持しておくことが要請される。
【００６１】
この点について本実施形態では、起立板４２のうちアース線固定部４２ａよりも上方の部位に、最も強度が低下した弱化部を形成することにより、フロントブラケット３９が破断してもアース状態が維持されるようにしている。
【００６２】
すなわち、まず、起立板の前側縁を、夾角が１８０°より小さいく字の形態に成すと共に、く字の頂点４２ｂをアース線固定部４２ａより上に位置させることにより、起立板４２を、アース線固定部４２ａよりも上の部位が最も幅狭となるように側面視で上窄まりの形態と成しており、更に、起立板４２の後ろ側縁のうちく字の頂点４２ｂよりも上の部位に側板５５を曲げ形成して、側板５５の下端部をく字の頂点４２ｂと相対向するように設定している。
【００６３】
このように構成すると、起立板４２のうち側板５５を設けた部位は、側板５５のリブ効果によって強度が著しく高くなるため、側板５５の下端部とく字の頂点４２ｂとを結ぶ弱化ライン４２ｃの箇所で最も強度が低下して（すなわち、弱化ライン４２ｃの箇所に応力が集中して）、破断箇所が弱化ライン４２ｃの箇所に一定化する。従って、アース線固定部４２ａがシリンダヘッド２から離脱することはなくて、電源回路がアースされた状態を保持できる。
【００６４】
すなわち、例えば衝突事故時にインタークーラ２１は後ろに押された場合、フロントブラケット３９には、その起立板４２を後ろに倒すような曲げ力が作用するが、インタークーラ２１がフロントブラケット３９から離脱せずに起立板４２の支持板４３に後ろ向きの過大な外力が作用すると、図６（Ｂ）に示すように、端子板６０よりも上に位置した弱化ライン４２ｃ（くびれ部）が破断するため、アース機能は維持される。従って、機関の機能が維持しておれば、自力走行による退避行動を取ることができる。
【００６５】
フロントブラケット３９に過大な振動が作用した場合も、フロントブラケット３９が破損することがあるが、破損個所はアース線固定部４２ａの上方に一定しているため、この場合も、アース機能は保持されて運転を続行できる。
【００６６】
実施形態のように、シリンダヘッド２の一端からはみ出たインタークーラを支持するフロントブラケット３９にアース線固定部４２ａを設けると、アース線固定部４２ａは触媒ケース１１や排気ターボ過給機９から遠い部位に位置し、かつ、シリンダヘッド２からも離反しているため、アース線５９が熱害を受けることを防止できて好適である。また、フロントブラケット３９は機関の高い位置にあるため、内燃機関を自動車に搭載してからアース線５９を接続する場合でも、その作業を容易に行える。
【００６７】
図５（Ｂ）に示すように、フロントブラケット３９の側板５５は、支持板４３と起立板４２との両方に繋がっている。従って、フロントブラケット３９のうち弱化ライン４２ｃよりも上の部位の剛性は、著しく高くなっている。これにより、事故時等に弱化ライン４２ｃの箇所で破断することが確実ならしめられている。
【００６８】
弱化ライン４２ｃの一端部又は両端部に、応力集中を助長させるＶ溝４２ｄを形成することも可能である。また、弱化手段としては、窄まり部を形成することに代えて、又はこれに加えて、スリットや穴を設けることも可能である。
【００６９】
以上、本願発明の実施形態を説明したが、本願発明は他にも様々に具体化できる。例えは、ブラケットで支持する吸気系部材はインタークーラに限るものではなく、ダクトやレゾネータ等を支持するブラケットにも適用できる。
【００７０】
ブラケットは、側面視でクランク状に曲がった形態や、正面視又は側面視でコ字型の形態など、様々な形態を採用できる。また、インタークーラの支持用ブラケットに適用する場合、ブラケットで通風ケーシングを支持することも可能である。
【産業上の利用可能性】
【００７１】
本願発明は、自動車用内燃機関のブラケットに具体化できる。従って、産業上利用できる。
【符号の説明】
【００７２】
２  機関本体を構成するシリンダヘッド
１７  エアクリーナ
１８，２０，３４  吸気ダクト
２１  インタークーラ
２３  熱交換ユニットを構成する上流側タンク
２６  冷却水分配部
３２  インタークーラのコア部
３３  熱交換ユニットを構成する下流側タンク
３９  フロントブラケット（請求項のブラケット）
４０  リアブラケット
４１  下固定板
４２  起立板
４２ａ  アース線固定部
４２ｂ  く字の頂点
４２ｃ  弱化ライン
４３  支持板
４４  取付け板
５５  側板
５９  アース線
６０  端子板
【図１】
2020105972.tif 000003
【図２】
2020105972.tif 000004
【図３】
2020105972.tif 000005
【図４】
2020105972.tif 000006
【図５】
2020105972.tif 000007
【図６】
2020105972.tif 000008